(57)【要約】【課題】リモートコントローラと空気調和機との通信が正常に行われるかどうか、各空気調和機の相互間の通信が正常に行われるかどうかを、波形測定器などの機器を用いることなく、簡単にしかも迅速に確認することができる作業性および信頼性にすぐれた空調システムを提供する。【解決手段】空気調和機１，２，３のうち親機である空気調和機１に、発光ダイオード１２を取付けている。リモートコントローラ６とそのリモートコントローラ６の接続先である空気調和機１との通信時、発光ダイオード１２が１秒間だけ点滅する。空気調和機１，２，３の相互間の通信時は、発光ダイオード１２が１秒間だけ連続して点灯する。【選択図】      図２
2009103414.tif 000002
【特許請求の範囲】
【請求項１】
互いに信号線接続された複数の空気調和機およびこれら空気調和機の少なくとも１つに信号線接続されたリモートコントローラからなる空調システムにおいて、
前記各空気調和機の少なくとも１つに設けられた発光手段と、
前記リモートコントローラとそのリモートコントローラの接続先の空気調和機との通信時、前記発光手段を第１パターンで動作させる制御手段と、
前記各空気調和機の相互間の通信時、前記発光手段を第２パターンで動作させる制御手段と、
を備えることを特徴とする空調システム。
【請求項２】
互いに信号線接続された複数の空気調和機およびこれら空気調和機の少なくとも１つに信号線接続されたリモートコントローラからなる空調システムにおいて、
前記各空気調和機の少なくとも１つに設けられ、互いに異なる発光色を有する第１および第２発光手段と、
前記リモートコントローラとそのリモートコントローラの接続先の空気調和機との通信時、前記第１発光手段を点灯させて前記第２発光手段を消灯する制御手段と、
前記各空気調和機の相互間の通信時、前記第２発光手段を点灯させて前記第１発光手段を消灯する制御手段と、
を備えることを特徴とする空調システム。
【発明の詳細な説明】
【技術分野】
【０００１】
この発明は、互いに信号線接続された複数の空気調和機およびこれら空気調和機の少なくとも１つに信号線接続されたリモートコントローラからなる空調システムに関する。
【背景技術】
【０００２】
互いに信号線接続された複数の空気調和機およびこれら空気調和機の少なくとも１つに信号線接続されたリモートコントローラからなる空調システムでは、各空気調和機およびリモートコントローラの据付け後、あるいは点検に際し、リモートコントローラと空気調和機との通信が正常に行われるかどうか、各空気調和機の相互間の通信が正常に行われるかどうかが、それぞれ確認される。
【０００３】
この確認の作業では、リモートコントローラの制御回路および各空気調和機の制御回路に波形測定器が接続され、波形測定器によって通信信号の波形が観測される。この観測結果に基づき、通信が正常であるか否かが判定される。ただし、この確認は、作業をする者にとって大変に面倒で、しかも波形測定器の扱いに慣れた者でなければ実施できない。
【０００４】
一方、１台の室外機および複数台の室内機からなるマルチタイプの空気調和機において、室外機および各室内機にそれぞれ発光ダイオードを設け、室外機と各室内機との通信に外乱等による異常が生じた場合に、それを発光ダイオードにより報知するものがある（例えば特許文献１）。
【特許文献１】特開平１０−３００１７６号公報
【発明の開示】
【発明が解決しようとする課題】
【０００５】
上記のように発光ダイオードを設けたマルチタイプの空気調和機の場合、確認できるのは室外機と各室内機との間の通信異常である。
【０００６】
複数の空気調和機およびリモートコントローラからなる空調システムの場合、リモートコントローラと空気調和機との通信および各空気調和機の相互間の通信をそれぞれ確認しなければならない。
【０００７】
この発明は上記の事情を考慮したもので、その目的は、リモートコントローラと空気調和機との通信が正常に行われるかどうか、各空気調和機の相互間の通信が正常に行われるかどうかを、波形測定器などの機器を用いることなく、簡単にしかも迅速に確認することができる作業性および信頼性にすぐれた空調システムを提供することである。
【課題を解決するための手段】
【０００８】
請求項１に係る発明の空調システムは、互いに信号線接続された複数の空気調和機およびこれら空気調和機の少なくとも１つに信号線接続されたリモートコントローラからなり、各空気調和機の少なくとも１つに設けられた発光手段と、リモートコントローラとそのリモートコントローラの接続先の空気調和機との通信時、上記発光手段を第１パターンで動作させる制御手段と、各空気調和機の相互間の通信時、上記発光手段を第２パターンで動作させる制御手段と、を備える。
【０００９】
請求項２に係る発明の空調システムは、互いに信号線接続された複数の空気調和機およびこれら空気調和機の少なくとも１つに信号線接続されたリモートコントローラからなり、各空気調和機の少なくとも１つに設けられ、互いに異なる発光色を有する第１および第２発光手段と、リモートコントローラとそのリモートコントローラの接続先の空気調和機との通信時、上記第１発光手段を点灯させて上記第２発光手段を消灯する制御手段と、各空気調和機の相互間の通信時、上記第２発光手段を点灯させて上記第１発光手段を消灯する制御手段と、を備える。
【発明の効果】
【００１０】
この発明の空調システムによれば、リモートコントローラと空気調和機との通信が正常に行われるかどうか、各空気調和機の相互間の通信が正常に行われるかどうかを、波形測定器などの機器を用いることなく、簡単にしかも迅速に確認することができて、据付け時や点検時の作業性が向上するとともに、通信機能の信頼性が向上する。
【発明を実施するための最良の形態】
【００１１】
［１］以下、この発明の第１の実施形態について図面を参照して説明する。  
図１に示すように、複数の空気調和機１，２，３が信号線４によって順に接続され、これら空気調和機１，２，３の少なくとも１つ例えば空気調和機１に信号線５を介してリモートコントローラ６が接続されている。この空気調和機１，２，３、リモートコントローラ６および各信号線により、本発明の空調システムが構成される。
【００１２】
空気調和機１，２，３は制御回路基板１０，２０，３０をそれぞれ有し、その制御回路基板１０，２０，３０にそれぞれ制御の中枢であるＣＰＵ１１，２１，３１が搭載されている。また、空気調和機１，２，３の制御回路基板１０，２０，３０には、ＣＰＵ１１，２１，３１のほかに、発光手段たとえば発光ダイオード（ＬＥＤ）１２，２２，２３がそれぞれ取付けられている。
【００１３】
そして、空気調和機１，２，３のＣＰＵ１１，２１，３１は、発光ダイオード１２，２２，３２の動作に関わる主要な機能として、次の（１）（２）の手段を有している。  
（１）リモートコントローラ６とそのリモートコントローラ６の接続先である空気調和機１，２，３のいずれかとの通信時、発光ダイオード１２，２２，３２を第１パターンたとえば点滅パターンで動作させる制御手段。
【００１４】
（２）空気調和機１，２，３の相互間の通信時、発光ダイオード１２，２２，３２を第２パターンたとえば点灯パターンで動作させる制御手段。
【００１５】
つぎに、上記の構成の作用を図２のフローチャートを参照しながら説明する。  
リモートコントローラ６の接続先である空気調和機１においては、リモートコントローラ６から空気調和機１への通信時、あるいは空気調和機１からリモートコントローラ６への通信時（ステップ１０１のＹＥＳ、ステップ１０２のＹＥＳ）、図３に示すように、発光ダイオード１２が１秒間だけ点滅する。
【００１６】
また、空気調和機１，２，３の相互間の通信時（ステップ１０１のＹＥＳ、ステップ１０２のＮＯ、ステップ１０４のＹＥＳ）、図３に示すように、発光ダイオード１２が１秒間だけ連続して点灯する。
【００１７】
また、リモートコントローラ６の接続先ではない空気調和機２，３においては、リモートコントローラ６と空気調和機２，３のそれぞれと通信が行われないので（ステップ１０１のＹＥＳ、ステップ１０２のＮＯ、ステップ１０４のＹＥＳ）、図４に示すように、発光ダイオード２２，３２が１秒間だけ点灯する。同様に空気調和機１とリモートコントローラ６との通信に異常がある場合でも、図４に示すように発光ダイオード１２が１秒間だけ点灯する。
【００１８】
通信が異常であれば（ステップ１０１のＮＯ）、発光ダイオード１２が消灯したまま点滅も点灯もしない。
【００１９】
したがって、リモートコントローラ６と空気調和機１との通信が正常に行われるかどうか、空気調和機１，２，３の相互間の通信が正常に行われるかどうかを、波形測定器などの機器を用いることなく、簡単にしかも迅速に確認することができる。これにより、据付け時や点検時の作業性が向上するとともに、通信機能の信頼性が向上する。
【００２０】
仮に、空気調和機１とリモートコントローラ６のみ設置されて、空気調和機２，３が設置されない状況では、空気調和機１，２，３の相互間の通信がないので、リモートコントローラ６と空気調和機１との通信時のみ（ステップ１０１のＹＥＳ、ステップ１０２のＹＥＳ）、図５に示すように発光ダイオード１２が１秒間だけ点滅する。空気調和機２，３が設置された状況においても、リモートコントローラ６と空気調和機１との通信が正常に行われ、空気調和機１，２，３の相互間の通信に異常があるときは、空気調和機１においては、図５に示すように発光ダイオード１２が１秒間だけ点灯する。
【００２１】
［２］第２の実施形態について説明する。  
第２の実施形態では、図６に示すように、空気調和機１，２，３の制御回路基板１０，２０，３０に、第１発光手段として赤色発光ダイオード１３，２３，３３が取付けられるとともに、第２発光手段として緑色発光ダイオード１４，２４，３４が取付けられる。
【００２２】
そして、空気調和機１，２，３のＣＰＵ１１，２１，３１が、赤色発光ダイオード１３，２３，３３および緑色発光ダイオード１４，２４，３４の動作に関わる主要な機能として、次の（１１）（１２）の手段を有している。  
（１）リモートコントローラ６とそのリモートコントローラ６の接続先である空気調和機１，２，３のいずれかとの通信時、赤色発光ダイオード１３，２３，３４を点灯させて緑色発光ダイオード１４，２４，３４を消灯する制御手段。
【００２３】
（２）空気調和機１，２，３の相互間の通信時、緑色発光ダイオード１４，２４，３４を点灯させて赤色発光ダイオード１３，２３，３４を消灯する制御手段。
【００２４】
他の構成は第１の実施形態と同じである。よって、その説明は省略する。
【００２５】
以下、作用について説明する。  
リモートコントローラ６の接続先である空気調和機１においては、リモートコントローラ６から空気調和機１への通信時、あるいは空気調和機１からリモートコントローラ６への通信時、赤色発光ダイオード１３が点灯する。また、空気調和機１，２，３の相互間の通信時、緑色発光ダイオード１４が点灯する。つまり、リモートコントローラ６との通信と、空気調和機１，２，３の相互間の通信の両方が正常であれば赤色発光ダイオード１３と緑色発光ダイオード１４の両方が点灯し、リモートコントローラ６との通信のみが正常であれば赤色発光ダイオードのみが点灯し、空気調和機１，２，３の相互間の通信のみが正常であれば緑色発光ダイオードのみが点灯する。
【００２６】
リモートコントローラ６との通信と、空気調和機１，２，３の相互間の通信の両方が異常であれば、赤色発光ダイオード１３および緑色発光ダイオード１４の両方とも点灯しない。
【００２７】
また、リモートコントローラ６の接続先ではない空気調和機２，３においては、リモートコントローラ６と空気調和機２，３のそれぞれと通信が行われないので、赤色発光ダイオード２３，３３は消灯が維持される。空気調和機１，２，３の相互間の通信が正常であれば緑色発光ダイオード２４，３４が点灯する。
【００２８】
したがって、リモートコントローラ６と空気調和機１との通信が正常に行われるかどうか、空気調和機１，２，３の相互間の通信が正常に行われるかどうかを、波形測定器などの機器を用いることなく、簡単にしかも迅速に確認することができる。これにより、据付け時や点検時の作業性が向上するとともに、通信機能の信頼性が向上する。
【００２９】
仮に、空気調和機１とリモートコントローラ６のみ設置されて、空気調和機２，３が設置されない状況では、空気調和機１，２，３の相互間の通信がないので、リモートコントローラ６と空気調和機１との通信時のみ、赤色発光ダイオード１３が点灯して緑色発光ダイオード１４の消灯が維持される。
【００３０】
他の構成および作用は第１の実施形態と同じである。よって、その説明は省略する。
【００３１】
［３］なお、上記各実施形態では、発光ダイオードの動作のパターンとして点滅パターンおよび点灯パターンを用いたが、点滅と点灯を適宜に組合わせた種々のパターンの採用が可能である。また、発光ダイオードを制御回路基板に取付ける構成としたが、その取付け箇所に限定はなく、例えば空気調和機の筐体の外周面などに取付けてもよい。さらに、発光手段として発光ダイオードを用いたが、発光ダイオードに限らず、例えば液晶表示器や有機ＥＬディスプレイを用いることも可能である。  
その他、この発明は上記各実施形態に限定されるものではなく、要旨を代えない範囲で種々変形実施可能である。
【図面の簡単な説明】
【００３２】
【図１】第１の実施形態の構成を示す図。
【図２】第１の実施形態の作用を説明するためのフローチャート。
【図３】第１の実施形態における発光ダイオードの点滅動作と点灯動作を示すタイムチャート。
【図４】第１の実施形態における発光ダイオードの点灯動作を示すタイムチャート。
【図５】第１の実施形態における空気調和機が１台のみの場合の発光ダイオードの点滅動作を示すタイムチャート。
【図６】第２の実施形態の構成を示す図。
【符号の説明】
【００３３】
１…空気調和機（親機）、２，３…空気調和機、４，５…信号線、６…リモートコントローラ、１０，２０，３０…制御回路基板、１１，２１，３１…ＣＰＵ、１２，２２，３２…発光ダイオード（発光手段）、１３，２３，３３…赤色発光ダイオード（発光手段）、１４，２４，３４…緑色発光ダイオード（発光手段）
【図１】
2009103414.tif 000003
【図２】
2009103414.tif 000004
【図３】
2009103414.tif 000005
【図４】
2009103414.tif 000006
【図５】
2009103414.tif 000007
【図６】
2009103414.tif 000008